(57)【要約】【課題】本発明はフレイル評価システムを提供することにより、フレイルの早期発見を行い、適切な介入による要介護状態の予防に役立てることを目的とし、またフレイルの概念が一般的にも広く周知されることを目的とし、またより効果の高いフレイルの研究に貢献することを目的とする。【解決手段】本発明のフレイル評価システムは、表示手段を用いて複数のフレイル評価項目を表示し、入力手段を介して表示手段に表示されたこのフレイル評価項目について回答を入力し、入力手段を介して入力された回答に基づいて判定手段によりフレイルの疑いの有無を判定し、出力手段を用いて判定手段による判定結果を出力する。【選択図】図２
2018066465.tif 000002
【特許請求の範囲】
【請求項１】
フレイル評価項目が表示される表示手段と、
前記表示手段に表示される前記フレイル評価項目について回答を入力する入力手段と、
前記入力手段を介して入力された回答に基づいてフレイルの疑いの有無を判定する判定手段と、
前記判定手段によるフレイル判定結果を出力する出力手段と、
前記フレイル判定結果を記憶しておくデータ蓄積手段と、
を有することを特徴とするフレイル評価システム。
【請求項２】
前記表示手段には、更にサルコペニア評価項目が表示され、
前記サルコペニア評価項目に関して前記入力手段を介して入力された回答に基づいて前記判定手段ではサルコペニアの疑いの有無についても判定し、
前記出力手段では、前記判定手段によるサルコペニア判定結果についても出力することを特徴とする請求項１に記載のフレイル評価システム。
【請求項３】
前記サルコペニア評価項目に関する回答を取得する計測手段を更に有することを特徴とする請求項２に記載のフレイル評価システム。
【請求項４】
前記表示手段には、更に補足評価項目が表示され、
前記補足評価項目に関して前記入力手段を介して入力された回答に基づいて前記判定手段では前記補足評価についても判定し、
前記出力手段では、前記判定手段による前記補足評価の判定結果についても出力することを特徴とする請求項１から３のいずれか一項に記載のフレイル評価システム。
【請求項５】
前記補足評価項目は、診療報酬における総合評価加算に関する評価項目であることを特徴とする請求項４に記載のフレイル評価システム。
【請求項６】
前記総合評価加算に関する評価項目は高齢者総合的機能評価の簡易版であることを特徴とする請求項５に記載のフレイル評価システム。
【請求項７】
前記補足評価項目は、高齢者総合的機能評価であることを特徴とする請求項４に記載のフレイル評価システム。
【請求項８】
前記フレイル評価項目を用いた判定と、前記総合評価加算に関する評価項目を用いた判定とを選択できることを特徴とする請求項５に記載のフレイル評価システム。
【発明の詳細な説明】
【技術分野】
【０００１】
本発明は、健康状態と要介護状態との中間的な状態であるフレイルを評価するためのフレイル評価システムに関する。
【背景技術】
【０００２】
現在急速な高齢化が進行しており、２０２５年には７５歳以上の後期高齢者が２０００万人を超えるとも言われ、平均寿命も延びている。その一方で『健康寿命』と言われる日常生活において継続的な医療や介護に依存しないで自立した生活がおくれる期間は、男性で約９年、女性では約１３年、平均寿命よりも短いと言われている。つまり、男性であれば９年間、女性であれば１３年間、要介護状態にあるということであり、この健康寿命を延ばして平均寿命に近づけることが、高齢化が進む現在において非常に重要な課題となっている。【０００３】
ところで、高齢者が要介護状態となる過程は、脳卒中や骨折などの急性疾患による場合もあるが、一般的には加齢に伴う身体機能の低下により健康状態から徐々に要介護状態へと移行していくものと考えられている。最近、この健康状態と要介護状態との中間状態を表す概念として、非特許文献１に記載されているような『フレイル』という言葉が用いられている。【０００４】
加齢に伴う身体機能の衰えは不可避的なものではあるが、このフレイルの状態においては適切な医療などの介入を行うことで要介護状態に至ることを予防でき、再び健康状態に戻る可逆の可能性を有している。したがって、フレイルの状態にある高齢者を早期に発見することができれば、適切な介入により要介護状態に至ることを防止することができる。このようなことから、例えば特許文献１、２に開示されているようなフレイルの状態で用いる組成物も開発されてきている。
したがって、このフレイルの概念が広く認識され活用されることが、要介護状態の高齢者を減少させる取り組みとして重要である。
【先行技術文献】
【非特許文献】
【０００５】
【非特許文献１】荒井  秀典、“フレイルの意義”、［online］、日本老年医学会の日本老年医学会雑誌５１巻６号、［平成２８年９月１２日検索］、インターネット〈http://www.jpn-geriat-soc.or.jp/publications/other/pdf/review_51_6_497.pdf〉
【特許文献】
【０００６】
【特許文献１】特開２０１６−０８８８４４号公報
【特許文献２】特開２０１６−１３１５４１号公報
【発明の概要】
【発明が解決しようとする課題】
【０００７】
しかしながら、このフレイルの概念は、介護の現場や医療の現場においてまだあまり認識されていないため、高齢者に対する適切な介入が十分に行われていないというのが現状である。また当然ながら一般的にもフレイルの概念はほとんど知られていない。そして、フレイルの状態にあるか否かを自動的に判定してくれるような評価システムも存在していない。【０００８】
このような現状において、医師や看護師、保健師、社会福祉士などの医療や介護に携わる人に利用しやすいフレイルの評価システムを提供することができれば、フレイルの状態の早期発見が可能になるとともに、適切な介入により要介護状態の予防に貢献することができる。【０００９】
また、利用しやすいフレイルの評価システムであれば、例えば日本看護協会が取り組んでいる『まちの保健室』という事業のように、地域の人たちが自分の健康について気軽に相談できるような場所でも使用することができ、フレイルの概念についても幅広く周知することができる。【００１０】
さらに、利用しやすいフレイルの評価システムを提供することにより、このシステムを介して様々なデータを蓄積することができる。上記のようにフレイルの概念はまだ新しく、その診断基準など、まだ統一的なものがない状況である。したがって、フレイルの研究を深めるためにはまだまだ分析データが不足しており、効率よく多くのデータを収集する必要がある。したがって、フレイル評価に付随して様々なデータを蓄積することができれば、蓄積されたデータを用いてより効果的なフレイルの研究に貢献することができる。【００１１】
本発明は、フレイル評価システムを提供することにより、フレイルの早期発見を行い、適切な介入による要介護状態の予防に役立てることを目的とし、またフレイルの概念が一般的にも広く周知されることを目的とし、また多くのデータを効率よく収集し効果的なフレイルの研究に貢献することを目的とする。
【課題を解決するための手段】
【００１２】
上記目的を達成するため、本発明のフレイル評価システムは、フレイル評価項目が表示される表示手段と、前記表示手段に表示される前記フレイル評価項目について回答を入力する入力手段と、前記入力手段を介して入力された回答に基づいてフレイルの疑いの有無を判定する判定手段と、前記判定手段によるフレイル判定結果を出力する出力手段と、前記フレイル判定結果を記憶しておくデータ蓄積手段と、を有することを特徴とする。【００１３】
本発明のフレイル評価システムによれば、評価項目に回答を入力することで、フレイルの判定結果を得ることができるので、フレイルの知識をとくに必要とすることなく、医師や看護師だけでなく広く多くの人が利用することができる。したがって、フレイルの早期発見に資することができ、適切な介入が可能となる。またデータが蓄積されるので、蓄積されたデータを用いてフレイルのより効果的な研究に役立てることができる。【００１４】
また、本発明のフレイル評価システムは、前記表示手段には、更にサルコペニア評価項目が表示され、前記サルコペニア評価項目に関して前記入力手段を介して入力された回答に基づいて前記判定手段ではサルコペニアの疑いの有無についても判定し、前記出力手段では、前記判定手段によるサルコペニア判定結果についても出力することを特徴とする。【００１５】
本発明のフレイル評価システムによれば、単にサルコペニアの判定結果を得ることができるだけでなく、フレイルとサルコペニアは関連性があることから、フレイルとの関連性の高いデータを効率よく収集することができる。【００１６】
また、本発明のフレイル評価システムは、前記サルコペニア評価項目に関する回答を取得する計測手段を更に有することを特徴とする。本発明のフレイル評価システムによれば、サルコペニアの評価項目について、計測手段による計測によって回答を得ることができるので、わざわざ入力する手間を省くことができる。【００１７】
また、本発明のフレイル評価システムは、前記表示手段には、更に補足評価項目が表示され、前記補足評価項目に関して前記入力手段を介して入力された回答に基づいて前記判定手段では前記補足評価についても判定し、前記出力手段では、前記判定手段による前記補足評価の判定結果についても出力することを特徴とする。【００１８】
本発明のフレイル評価システムによれば、フレイル評価とともに補足評価の積極的利用を促すことができ、また補足評価の判定が行われることで、フレイルの研究に役立つデータを収集することができる。【００１９】
また、本発明のフレイル評価システムは、前記補足評価項目が、診療報酬における総合評価加算に関する評価項目であることを特徴とする。本発明のフレイル評価システムによれば、診療報酬における総合評価加算を必要とする医療機関においても利用しやすいシステムであり、また総合評価加算の実施行為がデータ収集を兼ねることになり、効率よくデータを収集することが可能となる。【００２０】
また、本発明のフレイル評価システムは、前記総合評価加算に関する評価項目が高齢者総合的機能評価の簡易版であることを特徴とする。本発明のフレイル評価システムによれば、総合評価加算として推奨されている方法であるため、総合評価加算を必要とする医療機関においてより一層利用しやすいシステムとなる。【００２１】
また、本発明のフレイル評価システムは、前記補足評価項目が、高齢者総合的機能評価であることを特徴とする。本発明のフレイル評価システムによれば、フレイルの研究に役立つ多面的なデータを収集することができる。【００２２】
また、本発明のフレイル評価システムは、前記フレイル評価項目を用いた判定と、前記総合評価加算に関する評価項目を用いた判定とを選択できることを特徴とする。
本発明のフレイル評価システムによれば、状況に応じて総合評価加算だけを行うことができるため、利用しやすいシステムとなる。
【図面の簡単な説明】
【００２３】
【図１】実施形態１における高齢者総合評価システムの全体構成を示したシステムの概念図である。
【図２】実施形態１における第一のメニュー選択画面である。
【図３】実施形態１におけるシステム登録された患者情報の一覧の例示画面である。
【図４】実施形態１における第二のメニュー選択画面である。
【図５】実施形態１におけるフレイル評価項目の表示画面である。
【図６】実施形態１におけるサルコペニア評価項目の表示画面である。
【図７】実施形態１におけるＣＧＡ７の表示画面である。
【図８】実施形態１における詳細評価の表示画面である。
【図９】実施形態１における追加評価の表示画面である。
【図１０】図１０（Ａ）は実施形態２における変形例１のメニュー選択画面であり、図１０（Ｂ）は変形例２のメニュー選択画面である。
【発明を実施するための形態】
【００２４】
以下、図面を参照にして本発明を実施するための形態を説明するが、以下に示す実施形態は、本発明をここに記載したものに限定することを意図するものではなく、本発明は特許請求の範囲に示した技術思想を逸脱することなく種々の変更を行ったものにも均しく適用し得るものである。
【００２５】
［実施形態１］
本発明の実施形態の高齢者総合評価システム１の構成について説明する。図１は、本発明の実施形態における高齢者総合評価システム１の全体構成を示したシステムの概念図である。高齢者総合評価システム１は、ローカルエリアネットワークやインターネットなどのネットワークＮを介して接続されたシステム用サーバ１０と携帯端末２０と、携帯端末２０に接続された計測器３０とで構成されている。
【００２６】
システム用サーバ１０は、診療室や診療所などに設置されたパソコンなどであり、ＣＰＵからなる制御・演算部と、データやプログラムを記憶するＲＯＭやＲＡＭ、ハードディスクなどからなる記憶部と、データの入力を行うキーボードやマウス、タッチパネルなどからなる入力部、後述する評価項目や画像等を表示するディスプレイからなる表示部、判定結果を表示によって出力するディスプレイや紙によって出力するプリンタなどからなる出力部と、外部機器との間で通信を行ったりネットワークＮを介して通信を行ったりする通信部と、で構成されている。そして、システム用サーバ１０は、制御・演算部において記憶部に記憶された各種のプログラムを実行することにより、高齢者総合評価システム１を実現する。
【００２７】
携帯端末２０は、医師や看護師などが携帯できるタブレットやスマートフォンなどの小型機器であり、システム用サーバ１０と同様に、制御・演算部、記憶部、入力部、表示部、出力部、通信部で構成されている。なお、当然ながら携帯端末２０の特性にあわせて、例えば入力部はタッチパネルだけで構成されていても構わない。そして、携帯端末２０も、制御・演算部において記憶部に記憶された各種のプログラムを実行することにより、高齢者総合評価システム１を実現する。なお、図１では携帯端末２０を一台しか図示していないが、当然ながら複数の携帯端末２０で本システムは利用できる。
【００２８】
計測器３０は、握力を計測する握力計測器３０Ａと脹脛周囲の長さを計測する脹脛周囲長計測器３０Ｂからなる。これら計測器３０は、全体の動作を制御する制御部と、握力を計測したり脹脛周囲の長さを計測したりする計測部と、計測した値を記憶する記憶部と、携帯端末２０との間で計測したデータなどの送受信を行う通信部と、で構成されている。なお、計測器３０は、計測部で計測された計測値を、計測毎であったり、使用者の操作に基づいたりと、適宜携帯端末２０へと送る。また、携帯端末２０との間でデータなどの送受信を行う通信部における通信は、無線方式で図示しているが有線でも構わない。
【００２９】
つぎにこの高齢者総合評価システム１の詳細について説明する。まず高齢者総合評価システム１は、表示手段と、入力手段と、判定手段と、出力手段と、計測手段と、データ蓄積手段と、選択手段と、を有している。
【００３０】
本実施形態において表示手段は、主に図１で示した全体構成における携帯端末２０の表示部によって構成される。入力手段は、主に携帯端末２０の入力部によって構成される。判定手段は、主に携帯端末２０の制御・演算部によって構成される。出力手段は、主に携帯端末２０の出力部によって構成される。計測手段は、計測器３０によって構成される。データ蓄積手段は、主にシステム用サーバ１０の記憶部によって構成される。なお、携帯端末２０からシステム用サーバ１０へデータを送信する際、後述する患者名を匿名化して送信できるようにしておくのがよい。選択手段は、主に携帯端末２０の表示部と入力部とによって構成され、表示部に表示された複数の画像に対しタッチパネルからなる入力部を介して何れかの画像を選択できるようになっている。
【００３１】
以上のような高齢者総合評価システム１は、フレイル評価システムと、サルコペニア評価システムと、総合評価加算システムと、が一体化されたシステムとなっている。
【００３２】
まず、フレイル評価システムは、被験者となる高齢者が健康状態と要介護状態との中間の状態を表す概念である『フレイル』の状態にあるかどうかについて、複数の評価項目に基づいてフレイルの疑いの有無を判定する評価システムである。
【００３３】
このフレイル評価システムは、具体的には、表示手段を用いて複数のフレイル評価項目を表示し、入力手段を介して表示手段に表示されたこのフレイル評価項目について回答を入力し、入力手段を介して入力された回答に基づいて判定手段によりフレイルの疑いの有無を判定し、出力手段を用いて判定手段による判定結果を出力する構成となっている。また、判定手段による判定結果は、データ蓄積手段により記憶される。
【００３４】
このように、フレイル評価システムは、表示される評価項目について、回答を入力することで、フレイルの疑いの有無の判定結果を得られるようになっている。したがって、フレイルの専門知識がとくになくても、フレイル評価システムは、医師や看護師などの医療や介護に携わる人に広く利用しやすいものとなっている。また、医師や看護師などの医療や介護に携わる人だけでなく、例えば、『まちの保健室』といわれるような高齢者が集まる場所や老人ホームなどにも導入しやすく、導入することで高齢者自身や関係者によっても手軽に利用でき、フレイルの概念を広く周知することが可能となる。しがって、フレイル評価システムは、フレイルの早期発見につながり、医療的な面でなど適切な介入が可能となる。また、フレイル評価システムは、判定結果を蓄積しておくことにより、蓄積データを用いてフレイルのより一層の研究に役立てることができる。
【００３５】
つぎに、サルコペニア評価システムは、被験者となる高齢者がサルコペニアの状態にあるかどうかについて、複数の評価項目に基づいてサルコペニアの疑いの有無を判定する評価システムである。ここで、サルコペニアとは、進行性および全身性の骨格筋量および骨格筋力の低下を特徴とする症候群のことである。サルコペニアは、筋力、身体機能の低下を主要因として扱うのに対し、フレイルは身体的、精神心理的、社会的なものを要因として扱うことから、フレイルの身体的な要因についてはサルコペニアとの関連性が注目されている。
【００３６】
このサルコペニア評価システムは、具体的には、表示手段を用いて複数のサルコペニア評価項目を表示し、入力手段を介して表示手段に表示されたこのサルコペニア評価項目について回答を入力し、入力手段を介して入力された回答に基づいて判定手段によりサルコペニアの疑いの有無を判定し、出力手段を用いて判定手段による判定結果を出力する構成となっている。また、判定手段による判定結果は、データ蓄積手段により記憶される。
【００３７】
ところで、本実施形態のサルコペニア評価システムでは、サルコペニア評価項目の全ての回答が入力手段を介して入力される構成ではなく、一部の回答については計測手段により回答が取得される構成となっている。具体的には、本実施形態では、後述するようにサルコペニアの評価項目として、通常歩行速度、握力、筋肉量（ＤＸＡ、ＢＩＡ法など）、ふくらはぎ（脹脛）の周囲長、の４項目を用いている。この内、握力については握力計測器３０Ａを用い、脹脛の周囲長については脹脛周囲長計測器３０Ｂを用いて、計測結果が得られる構成となっている。
【００３８】
したがって、サルコペニア評価システムは、握力計測器３０Ａを用いて被験者の握力を計測すれば計測結果が該当項目の回答として得られ、脹脛周囲長計測器３０Ｂを用いて被験者の脹脛周囲の長さを計測すれば計測結果が該当項目の回答として得られるので、システムの使用者の入力の手間を省くことができる。なお、握力と脹脛の周囲長だけでなく、他の項目についても通信部を有する専用の計測器３０を用いて取得しても構わない。
【００３９】
また、本実施形態の高齢者総合評価システム１においては、フレイル評価システムとサルコペニア評価システムとを一体化しているため、関連性のあるフレイルの評価とサルコペニアの評価の両方を補完的に実施することができる。また、フレイル評価システムを介して得たデータとともに、サルコペニア評価システムを介して得たデータを用いて、両者の関係性などをみることでフレイルのより一層の研究に役立てることができる。
【００４０】
総合評価加算システムは、診療報酬の規定における総合評価加算を取得するために必要となる評価を行うためのシステムである。総合評価加算とは、入院中の患者であって、介護保険法施行令（平成１０年政令第４１２号）第２条各号に規定する疾病を有する４０歳以上６５歳未満のもの又は６５歳以上のものに対して、当該患者の基本的な日常生活能力、認知機能、意欲等について総合的な評価を行った場合に、入院中１回に限り、所定点数（１００点）加算するというものである。したがって、入院中の患者がいる医療機関においては、必要となる評価である。なお、総合評価を行う評価法として、高齢者総合機能評価（comprehensive geriatric assessment：以下、ＣＧＡと記す）の簡略版として知られている『ＣＧＡ７』が推奨されており、本実施形態においてもこのＣＧＡ７による総合評価を行っている。
【００４１】
この総合評価加算システムは、具体的には、表示手段を用いてＣＧＡ７に関する評価項目を表示し、入力手段を介して表示手段に表示されたこのＣＧＡ７評価項目について回答を入力し、入力手段を介して入力された回答に基づいて判定手段により評価を判定し、出力手段を用いて判定手段による判定結果を出力する構成となっている。また、判定手段による判定結果は、データ蓄積手段により記憶される。
【００４２】
ところで、総合評価として行うＣＧＡ７は、後述する７項目の評価を行うだけでも構わないが、本来ＣＧＡ７はＣＧＡのスクリーニングとなるもので、異常な項目があればＣＧＡに基づく詳細評価を行う必要がある。したがって、ＣＧＡ７を用いた総合評価を行うことで、ＣＧＡに基づく詳細評価の実施にも結び付くことになり、本実施形態の総合評価加算システムにおいてもＣＧＡ７とともに、詳細評価を行うことができるようになっている。
【００４３】
そして、ＣＧＡに基づく詳細評価には、意欲、認知機能、手段的日常生活動作能力（手段的ＡＤＬ）、基本的日常生活能力（基本的ＡＤＬ）、情緒・気分（ＧＤＳ１５）が含まれている。したがってＣＧＡに基づく詳細評価が行われることで非常に多面的な評価結果を効率よく得ることができ、これらのデータを用いてフレイルのより一層の研究に役立てることができる。
【００４４】
また、本実施形態の高齢者総合評価システム１においては、フレイル評価システムと総合評価加算システムとを一体化しているため、入院患者のいる医療機関においては、フレイルの評価を行った患者に対して総合評価も行うことができ、またその反対に総合評価を行った患者に対してフレイルの評価も行うことができる。
【００４５】
つぎに、本実施形態の高齢者総合評価システム１の実際の動作について、表示部に表示される画面を参照して説明する。図２は、高齢者総合評価システム１の第一のメニュー選択画面である。
まず、携帯端末２０において高齢者総合評価システム１が起動されると、表示部に図２に示すような第一のメニュー選択画面が表示される。
【００４６】
第一のメニュー選択画面には、フレイル評価システムとサルコペニア評価システムを選択するためのフレイル評価・サルコペニア評価選択画像４０と、総合評価加算システムを選択するための総合評価加算選択画像５０が表示される。そして、高齢者総合評価システム１は、選択手段を構成するタッチパネルを介して、どちらかの画像を選択することで、選択した側のシステムを利用できるようになっている。
【００４７】
このように本実施形態の高齢者総合評価システム１は、総合評価加算システムを選択することで、総合評価加算システムを単独で使用できる構成となっている。例えば、入院設備のある医療機関において本システムが導入された場合に、患者によってはフレイルの評価やサルコペニアの評価は行う必要はないが、総合評価だけは行いたいというような状況も想定される。このような状況において、高齢者総合評価システム１は、選択手段により、総合評価加算システムを単独で利用できる構成となっているため非常に利便性のよいものとなっている。
【００４８】
なお、図２の第一のメニュー選択画面が表示される前に、システムにログインするための、ログインＩＤとパスワードを入力する画面を表示し、システムにログインできる者を限定する構成としてもよい。
【００４９】
また、システムにログインして高齢者総合評価システム１を実際に操作する者とは別に、この高齢者総合評価システム１を用いて実際に評価される被験者（患者）について登録できることが好ましい。図３は、システム登録された患者情報の一覧を示している画面である。患者情報には、氏名とともに個別に患者ＩＤが設定されており、その他患者ごとに性別や年齢などの情報も一緒に登録できるようになっている。このような登録は、携帯端末２０の入力部を介して行う構成でも、システム用サーバ１０の入力部を介して行う構成でもよい。また登録された患者情報は、例えばシステム用サーバ１０の記憶部に一括して記憶される。
【００５０】
このように患者情報の登録が行えることにより、高齢者総合評価システム１の利用患者に対して、全ての取得データを患者毎に管理することができる。なお、図３以降の図面において被験者を患者として記しているが、例えば病院以外で本システムを使用する場合には、患者以外の表現、例えば対象者というような表現に変えても構わない。
【００５１】
つぎに、携帯端末２０において図２の第一のメニュー選択画面からフレイル評価・サルコペニア評価選択画像４０を選択手段により選択すると、表示部に図４に示すような第二のメニュー選択画面が表示される。第二のメニュー選択画面には、フレイル評価システムを選択するためのフレイル評価選択画像４１と、サルコペニア評価システムを選択するためのサルコペニア評価選択画像４５が表示される。そして、高齢者総合評価システム１は、選択手段を構成するタッチパネルを介して、どちらかの画像を選択することで、選択した側のシステムを利用できるようになっている。
【００５２】
このように本実施形態の高齢者総合評価システム１は、フレイル評価システムとサルコペニア評価システムと、を単独でも使用できる構成となっているため、目的に応じてどちらかのシステムだけを利用できることから非常に利便性のよいものとなっている。
【００５３】
ところで、先にも述べたようにフレイルの身体的な要因についてはサルコペニアとの関連性が注目されていることから、評価結果のデータ収集を目的とする場合にはできるだけ一方だけの評価に終わるのではなく、両方の評価が行われることが好ましい。したがって、高齢者総合評価システム１は、第一のメニュー選択画面においては、フレイルの評価とサルコペニアの評価を同じ選択画像４０とすることで使用者に対して両評価の関連性を示し、第二のメニュー選択画面においては、選択画像４１、４５と分けることで使用者の利便性を高めるようにしている。
【００５４】
つぎに、携帯端末２０において図４の第二のメニュー選択画面からフレイル評価選択画像４１を選択手段により選択すると、フレイル評価システムが起動され、表示部に図５に示すようなフレイル評価項目が表示される。
【００５５】
本実施形態においては、図５に示す２５個の評価項目が表示され、何れも『はい』若しくは『いいえ』の回答を選択式に入力できるようになっている。そして各評価項目について、入力手段を介して回答を入力し、上部又は下部に表示されている登録画像４２を選択すると、判定手段によりフレイルの疑いの有無を判定し、判定結果が出力手段である携帯端末２０の表示部に表示される。また、この判定結果はデータ蓄積手段によって記憶される。
【００５６】
なお、フレイル評価システムにおける判定結果は、フレイルの状態であるか否かの断定的な判定結果ではなく、あくでもフレイルか否かの判断の補助としての判定結果としている。また、本実施形態おいて、判定手段における判定は、２５項目の内該当する回答が８以上あったか否かを判定基準としてフレイルの疑いの有無を判定している。ただし、先にも述べたように、フレイルの概念はまだ新しく、その診断基準など、まだ統一的なものがない状況であることから、フレイル評価システムは、例えば図５に示した評価項目以外の項目を用いて判定を行ってもよく、また判定手段においては本実施形態とは異なる判定基準によって判定しても構わない。
【００５７】
また、本実施形態においては、図５の下部に追加アンケート画像４３を示し、必要に応じてこの画像４３を選択することで追加アンケートによる追加の評価項目を表示、入力できる構成としている。追加アンケートの内容としては、例えば、１年間で４〜５ｋｇの体重減少の有無、疲れやすくなったかどうかの有無、筋力の低下の有無、歩行スピードの低下の有無、身体の活動性の低下の有無、などが考えられる。このような追加アンケートにより、フレイルとの関連性のあるデータを効率よく得ることができる。
【００５８】
つぎに、携帯端末２０において図４の第二のメニュー選択画面からサルコペニア評価選択画像４５を選択手段により選択すると、サルコペニア評価システムが起動され、表示部に図６に示すようなサルコペニア評価項目が表示される。
【００５９】
本実施形態においては、図６に示す４個の評価項目が表示され、項目１の通常歩行速度と、項目３の筋肉量（ＤＸＡ、ＢＩＡ法など）については、入力手段を介して直接入力し、項目２の圧力は計測手段である握力計測器３０Ａを介して、項目４のふくらはぎの周囲長は計測手段である脹脛周囲長計測器３０Ｂを介して回答となる数値が入力される。そして、上部又は下部に表示されている登録画像４６を選択すると、判定手段によりサルコペニアの疑いの有無を判定し、判定結果が出力手段である携帯端末２０の表示部に表示される。また、この判定結果はデータ蓄積手段によって記憶される。
【００６０】
なお、サルコペニア評価システムは、図６に示した評価項目以外の項目を用いて判定を行っても構わない。また、本実施形態においては、図６の下部にロコモティブシンドロームに関する評価が行えるロコチェック画像４７も表示し、必要に応じてこのロコチェック画像４７を選択することでロコモティブシンドロームの評価項目を表示、入力できる構成としている。
【００６１】
ロコモティブシンドロームは、加齢によって筋肉、骨、関節等の運動器の部位に支障をきたし、日常生活が困難になったり、要介護状態や要介護の危険性増えたり、寝たきりになったりする現象を指しており、サルコペニアはその運動器の中でも筋肉と筋力、歩行機能に特化した症状を指しているのに対し、ロコモは運動器全般の症状を含んでいる。このことから、サルコペニアとロコモティブシンドロームとは密接な関係を有しており、高齢者総合評価システム１は、サルコペニアの評価に伴って、ロコモティブシンドロームの評価も行えることができる構成となっていることから非常に利便性のよいものとなっている。
【００６２】
また、サルコペニアとロコモティブシンドロームとは密接な関係を有していることから、フレイルとロコモティブシンドロームも関連性を有していることになるので、ロコモティブシンドロームの評価から得られたデータもフレイルの研究に活用することができる。
【００６３】
そして、携帯端末２０において図２の第一のメニュー選択画面から総合評価加算選択画像５０を選択手段により選択すると、総合評価加算システムが起動され、表示部に図７に示すようなＣＧＡ７に関する評価項目が表示される。
【００６４】
ＣＧＡ７に関する評価項目自体は既知のものであり、図７に示す７項目が表示されるとともに、各項目に対応する二者択一の回答を選択式に入力できるようになっている。そして各評価項目について、入力手段を介して回答を入力し、上部又は下部に表示されている登録・結果表示画像５１を選択すると、判定手段によりＣＧＡ７に関する回答を判定し、判定結果が出力手段である携帯端末２０の表示部に表示される。また、この判定結果はデータ蓄積手段によって記憶される。
【００６５】
ところで、上述したように、総合評価として行うＣＧＡ７であれば７項目の評価を行うだけでも構わないが、本来ＣＧＡ７はＣＧＡのスクリーニングとなるもので、異常な項目（例えば、１項目であれば、『返事はするまたは反応なし』を回答した場合）があればＣＧＡに基づく詳細評価を行う必要がある。したがって、総合評価加算システム３００は、図７に示すようにこの詳細評価を行うための詳細評価画像５２も表示し、必要に応じてこの画像５２を選択することでＣＧＡの詳細評価を表示、入力できる構成としている。ＣＧＡの詳細評価は図８に示すように５つあり、この５つの中から該当するものを選択して、評価が行われる。
【００６６】
また、本実施形態においては更にＣＧＡの詳細評価とは異なる追加評価を更に行うことができるようになっており、図７に示すように詳細評価画像５２の下の追加評価項目入力画像５３を選択することで図９に示すような７つの追加評価を更に行うことができるような構成となっている。したがって、図９の各評価を行うことでより多面的なデータを得ることができる。なお、図９に示した７つの追加評価は何れも既知の評価であり、また図７の追加評価項目入力で実施可能な追加評価はこの７つ以外の評価を用いても構わない。
【００６７】
このように総合評価加算システムは、単に総合評価加算を得るためだけにＣＧＡ７を行うシステムではなく、ＣＧＡ７の実施を契機に、ＣＧＡの詳細評価や、他の追加評価を行うことができるシステムとなっている。したがって、総合評価加算システムによって非常に多面的なデータを収集することができる。
【００６８】
以上のように、本実施形態の高齢者総合評価システム１は、フレイル評価システムを中心として、サルコペニア評価システムと総合評価加算システムとが一体化されたシステムとなっている。そして、サルコペニア評価システムでは、その実施によりフレイルとの関連性の高いデータを効率よく収集することができる。また、総合評価加算システムでは、その実施により多面的なデータを効率よく収集することができる。とくに入院設備のある医療機関であれば、総合評価加算を得る上で総合評価の実施が必要となるので、総合評価加算システムの実施行為がデータ収集を兼ねることになり、効率よくデータを収集することが可能となる。
［実施形態２］
【００６９】
また、実施形態１においては、フレイル評価システムにサルコペニア評価システムと総合評価加算システムとが一体化されたシステムとなっていたが、本実施形態においては、フレイル評価システムに補足評価システムが一体化されたシステムとなっている。
【００７０】
この補足評価システムとは、フレイルの研究に役立つデータを得るためのシステムであり、具体的には、表示手段を用いて補足評価項目を表示し、入力手段を介して表示手段に表示されたこの補足評価項目について回答を入力し、入力手段を介して入力された回答に基づいて判定手段により補足評価について判定し、出力手段を用いて判定手段による判定結果を出力し、データ蓄積手段により判定結果を記憶しておく構成となっている。
【００７１】
この補足評価項目の具体例としては、例えば、上述した高齢者総合的機能評価（ＣＧＡ）であってもよい。この場合、フレイル評価システムと高齢者総合的機能評価システムとが一体化されたシステムとなる。図１０（Ａ）は、この具体例（変形例１）のメニュー選択画面である。本実施形態のシステムは、診療報酬における総合評価加算を必要としない施設等での利用に適している。
【００７２】
また、補足評価項目の他の具体例としては、上述の図９で示した追加評価であってもよい。この場合、フレイル評価システムと図９で示した追加評価の評価システムとが一体化されたシステムとなる。図１０（Ｂ）は、この具体例（変形例２）のメニュー選択画面である。本実施形態のシステムも、診療報酬における総合評価加算を必要としない施設等での利用に適している。
以上のような高齢者総合評価システムは、実施形態１とは異なりシステム用サーバ１０と計測器３０とで構成しても構わない。
【００７３】
また、高齢者総合評価システムは、実施形態１においてシステム用サーバ１０をデータ蓄積手段として用い判定結果の記憶を行っていたが、携帯端末２０の記憶部をデータ蓄積手段として用いる構成でも構わない。
【００７４】
また、高齢者総合評価システムは、携帯端末２０の記憶部でデータの蓄積を行い、その蓄積したデータを適宜システム用サーバ１０の記憶部に記憶するようにしても構わない。複数の携帯端末２０で利用されることで、システム用サーバ１０の記憶部には非常に多くのデータが蓄積されることになる。本発明は、フレイル評価だけでなく、サルコペニア評価や総合評価などが一体化され、関連付けて利用できることから、効率よくデータを収集することができるので、データ蓄積手段に記憶されるデータの量が莫大な量になる。このようなビッグデータは大学などの研究機関に提供することでフレイルのより一層の研究に有益なものとなる。なお、このような大量のデータの取扱においては、患者名を匿名化して扱うのがよく、とくに携帯端末２０からシステム用サーバ１０へデータを送る際には患者名を匿名化しておくのがよい。
【符号の説明】
【００７５】
１：高齢者総合評価システム
１０：システム用サーバ
２０：携帯端末
３０：計測器
１１：円筒状下部
１２：皿状上部
１２ａ：円孔
４１、４５、５０：選択画像
４２、４６：登録画像
４３：追加アンケート画像
４７：ロコチェック画像
５１：登録・結果表示画像
５２：詳細評価画像
５３：追加評価項目入力画像
【図１】
2018066465.tif 000003
【図２】
2018066465.tif 000004
【図３】
2018066465.tif 000005
【図４】
2018066465.tif 000006
【図５】
2018066465.tif 000007
【図６】
2018066465.tif 000008
【図７】
2018066465.tif 000009
【図８】
2018066465.tif 000010
【図９】
2018066465.tif 000011
【図１０】
2018066465.tif 000012
【国際調査報告】
2018066465.tif 000013
2018066465.tif 000014
2018066465.tif 000015
2018066465.tif 000016